(57)【要約】  ドラム式洗濯機のドア開放表示装置およびドア開放制御方法において、洗濯機コンピュータプログラム制御装置（１）により制御される、ドア体のロックおよびロック解除を行うドアロックがドア体に設置される。前記ドア開放表示装置は、ドラム式洗濯機のドア体および／または洗濯機の前面部に設置される。前記ドア開放表示装置は、洗濯機コンピュータプログラム制御装置（１）と接続される１つのタッチ感応装置（３）および色変換可能な表示灯セット（７）を含み、前記タッチ感応装置（３）はタッチ領域（９）および開閉感応装置（８）を含む。前記タッチ感応装置（３）はタッチ信号を検出して、該信号を洗濯機コンピュータプログラム制御装置（１）に送信する。洗濯機コンピュータプログラム制御装置（１）は、洗濯状態の変化に基づいて、ドア体の開閉を直接制御し、さらに前記表示灯セット（７）の色変換を制御する。【選択図】図２
2016529986.tif 000002
【特許請求の範囲】
【請求項１】
ドラム式洗濯機のドア開放表示装置であって、洗濯機コンピュータプログラム制御装置により制御される、ドア体のロックおよびロック解除を行うドアロックがドア体に設置され、前記ドア開放表示装置が、ドラム式洗濯機のドア体および／または洗濯機の前面部に設置されるドラム式洗濯機のドア開放表示装置であって、前記ドア開放表示装置が、洗濯機コンピュータプログラム制御装置（１）と接続される１つのタッチ感応装置（３）および色変換可能な表示灯セット（７）を含み、前記タッチ感応装置（３）がタッチ領域（９）および開閉感応装置（８）を含み、前記タッチ感応装置（３）がタッチ信号を検出して、該信号を洗濯機コンピュータプログラム制御装置（１）に送信し、洗濯機コンピュータプログラム制御装置（１）が、洗濯状態の変化に基づいて、ドア体の開閉を直接制御し、さらに前記表示灯セット（７）の色変換を制御することを特徴とする、ドア開放表示装置。
【請求項２】
前記タッチ感応装置（３）および色変換可能な表示灯セット（７）を、それぞれ洗濯機のドア体および洗濯機の前面部（１１）に設置するか、あるいは前記タッチ感応装置（３）および色変換可能な表示灯セット（７）を、いずれも洗濯機のドア体（４）に設置するか、またはいずれも洗濯機の前面部（１１）に設置することを特徴とする、請求項１に記載のドラム式洗濯機のドア開放表示装置。
【請求項３】
前記タッチ感応装置（３）のタッチ領域（９）および開閉感応装置（８）を洗濯機のドア体（４）に設置し、色変換可能な表示灯セット（７）を洗濯機の前面部に設置するか、あるいは前記タッチ領域（９）、開閉感応装置（８）、および色変換可能な表示灯セット（７）をいずれも洗濯機のドア体（４）に設置し、好ましくは色変換可能な表示灯セット（７）をタッチ領域（９）の近くかまたはタッチ領域を取り囲む領域に設置することを特徴とする、請求項１に記載のドラム式洗濯機のドア開放表示装置。
【請求項４】
前記タッチ領域（９）および開閉感応装置（８）と、色変換可能な表示灯セット（７）を、いずれもドア体（４）の環状装飾枠に設置し、好ましくは前記色変換可能な表示灯セット（７）をタッチ領域（９）の周囲に設置し、より好ましくは色変換可能な表示灯セット（７）をタッチ領域（９）に設置することを特徴とする、請求項１〜３のいずれか１項に記載のドラム式洗濯機のドア開放表示装置。
【請求項５】
ドア開放表示装置がドア体（４）に設置され、前記ドア開放表示装置が電気ケーブル（２）によりコンピュータプログラム制御装置（１）に接続され、前記電気ケーブル（２）の配線方向が、ドア体の窓のシールドと、のぞき窓との間の隙間に沿ってヒンジ部分を通過し、その後さらに洗濯機の筐体に沿ってコンピュータプログラム制御装置（１）に接続されることを特徴とする、請求項１に記載のドラム式洗濯機のドア開放表示装置。
【請求項６】
前記タッチ領域（９）が静電容量式または抵抗膜式または光学式であり、前記コンピュータプログラム制御装置（１）が、洗濯機の洗濯状態に基づいて、ドア体を開くことができるかどうかを判断し、その後ドアロックおよび表示灯セットを制御し、ドアロックをロック状態に維持するか、またはロック解除し、それと同時に表示灯の色を維持または変換し、好ましくは前記ドアロックが自動ポップアップ式の電磁ドアロックであることを特徴とする、請求項１に記載のドラム式洗濯機のドア開放表示装置。
【請求項７】
請求項１〜６のいずれか１項に記載のドラム式洗濯機のドア開放制御方法であって、以下の
１）ユーザが前記タッチ感応装置（３）のタッチ領域（９）をタッチする工程と、
２）前記タッチ感応装置がタッチ信号を検出して、該信号を洗濯機コンピュータプログラム制御装置（１）に送信する工程と、
３）洗濯機コンピュータプログラム制御装置（１）が、洗濯状態の変化に基づいて、ドア体（４）の開閉を直接制御し、それと同時に前記ドア開放表示装置の表示灯セット（７）が異なる色を示すように制御する工程と、を含むことを特徴とする方法。
【請求項８】
洗濯機が使用状態のとき、ユーザは操作パネルのスタート／一時停止ボタンを押す必要がなく、タッチ感応装置のタッチ領域を直接タッチすることを特徴とする、請求項７に記載のドラム式洗濯機のドア開放制御方法。
【請求項９】
洗濯機コンピュータプログラム制御装置が、洗濯状態に基づいて、現在のドア体が開成可能および開成不可の少なくとも２種の状態にあることを判断し、ドア体（４）のドアロックを制御する対応コマンドを発し、それと同時に前記表示灯セットが少なくとも２種の状態に対応する色を示すように制御し、好ましくは洗濯機コンピュータプログラム制御装置が、洗濯状態に基づいて、現在のドア体が開成済み、開成可能、および開成不可の少なくとも３種の状態にあることを判断し、ドア体（４）のドアロックを制御する対応コマンドを発し、それと同時に前記表示灯セットが少なくとも３種の状態に対応する少なくとも３種の色を示すように制御することを特徴とする、請求項８に記載のドラム式洗濯機のドア開放制御方法。
【請求項１０】
請求項７〜９のいずれか１項に記載のドラム式洗濯機のドア開放制御方法であって、洗濯機コンピュータプログラム制御装置（１）が、洗濯機の洗濯状態に基づいて、現在のドア体（４）が開成可能な状態と判断する方法が以下を含み、すなわち洗濯機の洗濯が終了するか、またはユーザがドア開放ボタンをタッチすると、洗濯機はモータが停止して一定の周波数値より低いか、もしくはドラム内水位が一定値より低いことを満たせば、または加熱もしくは乾燥機能を有する洗濯機については、ドラム内温度が一定の温度値より低い状態であれば、洗濯機のドア体（４）は開成可能な状態にあり；
洗濯機コンピュータプログラム制御装置（１）が、洗濯機の洗濯状態に基づいて、現在のドア体（４）が開成不可の状態と判断する方法は以下を含み、すなわち洗濯機のモータが高速回転するか、またはドラム内水位が一定値より高いとき、あるいはドラム内温度が一定の温度値より高い状態のとき、洗濯機のドア体（４）は開成することができないことを特徴とする方法。
【請求項１１】
請求項７〜１０のいずれか１項に記載のドラム式洗濯機のドア開放制御方法であって、洗濯機コンピュータプログラム制御装置（１）が、表示灯セット（７）の色変換を制御して、洗濯機の動作状態を示し、このうち、洗濯機の洗濯工程の状態が、洗濯機が給水、洗濯、すすぎ、排水、脱水、乾燥または一時停止状態の１つまたはその組合せの状態にあることを含むことを特徴とする方法。
【発明の詳細な説明】
【技術分野】
【０００１】
本発明は家庭用電気製品分野に関し、具体的にドラム式洗濯機に設置するドア開放表示装置およびそのドア開放制御方法に関する。
【背景技術】
【０００２】
一般的に、ドラム式洗濯機は洗濯物をきれいに洗浄することができる装置である。言い換えれば、洗剤および水の作用を利用して、洗濯、すすぎ、脱水などの過程により、衣類、寝具などの表面に付着した汚れを除去することができる。
【０００３】
このため、洗濯機には洗濯物を出し入れするドア体が取り付けられる。ドラム式洗濯機において、上記ドア体は一般的に前面に取り付けられ、なおかつドラム式洗濯機のドアにスイッチが取り付けられる。スイッチの作用は、ドラム式洗濯機の駆動過程でドアをロックすることができ、ドアの開成により洗濯機内部の水が流出するのを防止することである。
【０００４】
上記スイッチは、上記ドラム式洗濯機のドアをロックまたはロック解除することができる装置である。上記ドアスイッチは、制御部の制御信号に基づいて、ドアに取り付けた留め具をロックまたはロック解除するものであり、上記ドアスイッチの電源が切断された状況では、使用者は上記ドアを任意で開いたり、閉じたりすることができる。
【０００５】
他方、既存のドラム式洗濯機が駆動状態のとき、上記ドアスイッチは電源が入っており、これにより上記ドアのロック状態を保持する。上記ドラム式洗濯機の電源が切断されるか、または上記ドラム式洗濯機を一時停止状態に切り換えたとき、上記ドアスイッチはロック解除状態に切り替わり、これにより上記ドアを開くことができる状態にする。
【０００６】
しかし、既存のドラム式洗濯機には以下の問題が存在する。
ユーザは洗濯機を使用する過程において、常に洗濯機のドアを開いたり閉じたりする必要があるが、ドラム式洗濯機のドアは前面に設置されるため、槽内の水の流出を防止するため、さらに乾燥過程で槽内の温度が高すぎて、湯気で火傷するのを防止するため、ドアを開くことはできない。しかし、ユーザがどのようにドアを開放するのか、およびいつドアを開放するのかが示されず、ユーザは使用中に困惑する。
【０００７】
現在、ドラム式洗濯機のドアは、一般的に洗濯過程で開けることができず、洗濯機の操作パネルの「スタート／一時停止」ボタンを押して、コンピュータプログラム制御装置がドアを開放することができると判断したときのみ、ドアロック装置を解除することができる。しかし、ユーザが説明書を見なければ一般的にわからないことであり、ドアを開放したいときに、どのようにしていいのかわからないことがたびたびある。既存の洗濯機は、比較的明確なドア開放時間およびドア開放方法を提供することができない。
【０００８】
本発明は、上記欠点に基づいて示すものである。
【発明の概要】
【発明が解決しようとする課題】
【０００９】
本発明の目的は、ドア体が開成可能かどうかをユーザが判断するのに便利な、ドラム式洗濯機のドア開放表示装置およびドア体の開成方法を提供することである。
【課題を解決するための手段】
【００１０】
上記目的を達成するため、本発明が採用する技術案は以下の通りである。
ドラム式洗濯機のドア開放表示装置において、洗濯機コンピュータプログラム制御装置により制御される、ドア体のロックおよびロック解除を行うドアロックがドア体に設置される。前記ドア開放表示装置は、ドラム式洗濯機のドア体および／または洗濯機の前面部に設置される。前記ドア開放表示装置は、洗濯機コンピュータプログラム制御装置と接続される１つのタッチ感応装置および色変換可能な表示灯セットを含み、前記タッチ感応装置はタッチ領域および開閉感応装置を含む。前記タッチ感応装置はタッチ信号を検出して、該信号を洗濯機コンピュータプログラム制御装置に送信する。洗濯機コンピュータプログラム制御装置は、洗濯状態の変化に基づいて、ドアの開閉を直接制御し、さらに前記表示灯セットの色変換を制御する。
【００１１】
前記タッチ感応装置および色変換可能な表示灯セットを、それぞれ洗濯機のドア体および洗濯機の前面部に設置する。あるいは、前記タッチ感応装置および色変換可能な表示灯セットを、いずれも洗濯機のドア体に設置するか、またはいずれも洗濯機の前面部に設置する。
【００１２】
前記タッチ感応装置のタッチ領域および開閉感応装置を洗濯機のドア体に設置し、色変換可能な表示灯セットを洗濯機の前面部に設置する。あるいは、前記タッチ領域、開閉感応装置、および色変換可能な表示灯セットを、いずれも洗濯機のドア体に設置し、好ましくは色変換可能な表示灯セットを、タッチ領域の近くかまたはタッチ領域を取り囲んで設置する。
【００１３】
前記タッチ領域および開閉感応装置と、色変換可能な表示灯セットを、いずれもドア体の環状装飾枠に設置する。好ましくは、前記色変換可能な表示灯セットをタッチ領域の周囲に設置し、より好ましくは色変換可能な表示灯セットをタッチ領域に設置する。
【００１４】
ドア開放表示装置はドア体に設置され、前記ドア開放表示装置は電気ケーブルによりコンピュータプログラム制御装置に接続される。前記電気ケーブルの配線方向は、ドア体の窓のシールドと、のぞき窓との間の隙間に沿ってヒンジ部分を通過し、その後さらに洗濯機の筐体に沿ってコンピュータプログラム制御装置に接続される。
【００１５】
前記タッチ領域は、静電容量式または抵抗膜式または光学式である。前記コンピュータプログラム制御装置は、洗濯機の洗濯状態に基づいて、ドア体を開くことができるかどうかを判断する。その後ドアロックおよび表示灯セットを制御し、ドアロックをロック状態に維持するか、またはロック解除し、それと同時に表示灯の色を維持または変換する。好ましくは、前記ドアロックは自動ポップアップ式の電磁ドアロックである。
【００１６】
ドラム式洗濯機のドア開放制御方法は、以下の工程を含む。
１）ユーザが前記タッチ感応装置のタッチ領域をタッチする。
２）前記タッチ感応装置がタッチ信号を検出して、該信号を洗濯機コンピュータプログラム制御装置に送信する。
３）洗濯機コンピュータプログラム制御装置が、洗濯状態の変化に基づいて、ドア体の開閉を直接制御し、それと同時に前記ドア開放表示装置の表示灯セットが異なる色を示すように制御する。
【００１７】
洗濯機が使用状態のとき、ユーザは操作パネルのスタート／一時停止ボタンを押す必要がなく、タッチ感応装置のタッチ領域を直接タッチする。
【００１８】
洗濯機コンピュータプログラム制御装置は、洗濯状態に基づいて、現在のドア体が開成可能および開成不可の少なくとも２種の状態にあることを判断し、ドア体のドアロックを制御する対応コマンドを発し、それと同時に前記表示灯セットが少なくとも２種の状態に対応する色を示すように制御する。好ましくは、洗濯機コンピュータプログラム制御装置は、洗濯状態に基づいて、現在のドア体が開成済み、開成可能、および開成不可の少なくとも３種の状態にあることを判断し、ドア体のドアロックを制御する対応コマンドを発し、それと同時に前記表示灯セットが少なくとも３種の状態に対応する少なくとも３種の色を示すように制御する。
【００１９】
前記洗濯機コンピュータプログラム制御装置は、洗濯機の洗濯状態に基づいて、洗濯機のドアロックの開閉を制御する。それと同時に表示灯セットの色変換を制御し、ドアロックの状態を表示して、ユーザに洗濯機のドア体を開くことができるかどうかを示す。前記表示灯セットの色変換は少なくとも３レベルに分けられ、ドア体が開成、開成可能、および開成不可であることにより、それぞれ色Ａ１、Ａ２およびＡ３が設けられる。前記Ａ１、Ａ２およびＡ３はＲＧＢカラーであり、コンピュータプログラム制御装置がＲＧＢカラーの変化を制御する。前記Ａ１、Ａ２およびＡ３の色差ＣＶは、いずれも２０より大きく設定する。
【００２０】
洗濯機コンピュータプログラム制御装置が、洗濯機の洗濯状態に基づいて、現在のドア体が開成可能な状態と判断する方法は以下を含む。すなわち、洗濯機の洗濯が終了するか、またはユーザがドア開放ボタンをタッチすると、洗濯機はモータの回転が停止して一定の周波数値より低いか、もしくはドラム内水位が一定値より低いことを満たせば、または加熱もしくは乾燥機能を有する洗濯機については、ドラム内温度が一定の温度値より低い状態であれば、洗濯機のドア体は開成可能な状態にある。
洗濯機コンピュータプログラム制御装置が、洗濯機の洗濯状態に基づいて、現在のドア体が開成不可の状態と判断する方法は以下を含む。すなわち、洗濯機のモータが高速回転するか、またはドラム内水位が一定値より高いとき、あるいはドラム内温度が一定の温度値より高い状態のとき、洗濯機のドア体は開成することができない。
【００２１】
洗濯機コンピュータプログラム制御装置が表示灯セットの色変換を制御して、洗濯機の動作状態を示す。洗濯機の洗濯工程の状態は、洗濯機が給水、洗濯、すすぎ、排水、脱水、乾燥または一時停止状態の１つまたはその組合せの状態にあることを含む。
【発明の効果】
【００２２】
本発明の有益な効果は以下の通りである。
１、本発明は表示灯セットを設置することを採用しており、ユーザが、洗濯機のドア体が開成可能な状態かどうかを判断するのに便利である。ユーザにいつドアを開放するかを示し、ユーザが使用中に困惑しないようにし、かつ洗濯機は美しく、多様性が増加する。
【００２３】
２、本発明のタッチ感応装置はドア体の開成を直接制御する。機械式の開成方式を変更し、力が強すぎてドア体が損傷するのを防止した。
【００２４】
３、本発明はタッチ感応式のドアの開放制御を採用する。より良好にユーザに操作を示すことができ、マンマシン対話を強化する。かつ操作が簡便であり、タッチ式操作はより現代的である。
【００２５】
４、本発明の表示灯セットは、同時に洗濯機の状態を示すことができ、ユーザは表示灯セットの色の変化により、洗濯機の状態をはっきりと把握し、表示をより直接観察できる。
【図面の簡単な説明】
【００２６】
【図１】図１は、本発明のドラム式洗濯機におけるドア開放制御方法のフローチャートである。
【図２】図２は、本発明のドラム式洗濯機におけるドア開放表示装置の表示灯セット、タッチ感応装置の位置概要図である。
【図３】図３は、本発明のドラム式洗濯機におけるドア開放制御信号の接続図である。
【図４】図４は、本発明のドラム式洗濯機におけるドア開放表示装置の構造概要図である。
【図５】図５は、本発明のドラム式洗濯機におけるドア開放表示装置の表示灯セット、タッチ感応装置の位置概要図である。
【図６】図６は、本発明のドラム式洗濯機におけるドア開放表示装置の表示灯セット、タッチ感応装置の位置概要図である。
【図７】図７は、本発明のドラム式洗濯機におけるドア開放表示装置の表示灯セット、タッチ感応装置の位置概要図である。
【図８】図８は、本発明のドラム式洗濯機におけるドア開放表示装置の表示灯セット、タッチ感応装置の位置概要図である。
【図９】図９は、本発明のドラム式洗濯機におけるドア開放表示装置の表示灯セット、タッチ感応装置の位置概要図である。
【発明を実施するための形態】
【実施例】
【００２７】
以下、図を組み合わせて、本発明のドラム式洗濯機のドア開放装置およびドア開放方法について詳細に記載する。
図２に示すように、ドラム式洗濯機のドア開放表示装置はドラム式洗濯機のドア体４に設置され、コンピュータプログラム制御装置１により制御される、ドア体のロックおよびロック解除を行うドアロックがドア体４に設置される。ドア開放表示装置は、洗濯機コンピュータプログラム制御装置１と接続される１つのタッチ感応装置３および色変換可能な表示灯セット７を含み、前記タッチ感応装置３はタッチ領域９および開閉感応装置８を含む。前記タッチ感応装置３はタッチ信号を検出して、該信号を洗濯機コンピュータプログラム制御装置１に送信する。洗濯機コンピュータプログラム制御装置１は、洗濯状態の変化に基づいて、ドアの開閉および前記表示灯セット７の色変換を直接制御し、ユーザが直接観察して、洗濯機のドア体４がどのような状態にあるかを見るのに便利である。例えば、それぞれ異なる色により、洗濯機のドア体４が開成済み状態である、開成可能状態で洗濯機のドア体４を開成する、または洗濯機のドア体４が開成不可の状態である、ことを示す。
【００２８】
図１に示すように、本発明のタッチ感応装置３のタッチ領域９および開閉感応装置８と、色変換可能な表示灯セット７は、いずれも洗濯機のドア体４に設置される。図５に示すように、本発明のタッチ感応装置３のタッチ領域９および開閉感応装置８と、色変換可能な表示灯セット７は、いずれも洗濯機の前面部１１に設置され、タッチ感応装置３のタッチ領域９および開閉感応装置８と、色変換可能な表示灯セット７は、それぞれ洗濯機のドア体４または操作パネル部分を含む洗濯機の前面部１１に設置することもできる。図６に示すように、本発明の一実施例において、タッチ感応装置３のタッチ領域９および開閉感応装置８は洗濯機のドア体４に設置され、色変換可能な表示灯セット７は洗濯機の前面部１１、好ましくはドア体４の周囲に設置される。あるいは反対に、図９に示すように、色変換可能な表示灯セットは洗濯機のドア体に設置され、タッチ感応装置３のタッチ領域９および開閉感応装置８は洗濯機の前面部１１に設置される。
【００２９】
１つの選択として、本発明のタッチ領域９および開閉感応装置８と、色変換可能な表示灯セット７は、いずれも洗濯機の前面部１１に設置される。このような状況下において、好ましくはドア体４の近くに設置される（図５を参照）。
【００３０】
本発明において、色変換可能な表示灯セット７を、洗濯機のドア体に設置するか、または洗濯機の前面部１１に設置することができる。本発明の一実施例において、色変換可能な表示灯セット７を洗濯機の前面部１１に設置し、かつドア体を囲んで設置する（図６、図７を参照）。色変換可能な表示灯セット７を洗濯機のドア体４に設置するとき、色変換可能な表示灯セット７は環状のドア体の装飾枠５に設置し（図８、図９を参照）、このようにして消費者に明確にはっきりと示すことができる。一般的な状況において、色変換可能な表示灯セットはタッチ領域の近くか、またはタッチ領域を取り囲んで設置される。このように、色変換可能な表示灯セット７は、タッチ領域９に、またはタッチ領域９の周囲に設置される（図２、図５を参照）。色変換可能な表示灯セット７をタッチ領域に設置すると、取付を便利にすることができる。
【００３１】
本発明のタッチ領域９および開閉感応装置８は、電気ケーブル２によりコンピュータプログラム制御装置１に接続される。前記電気ケーブル２の配線方向は、ドア体の窓のシールドと、のぞき窓との間の隙間に沿ってヒンジ部分を通過し、その後さらに洗濯機の筐体に沿って、コンピュータプログラム制御装置１に接続される。前記タッチ領域９は、静電容量式または抵抗膜式またはその他の光学式である。前記コンピュータプログラム制御装置１は、洗濯機の洗濯状態に基づいて、ドア体を開くことができるかどうかを判断する。その後ドアロックおよび表示灯セットを制御し、ドアロックをロック状態に維持するか、またはロック解除し、それと同時に表示灯の色を維持または変換する。
【００３２】
図４に示すように、本発明の一実施例において、タッチ感応装置３に開閉感応装置８が設置され、該開閉感応装置８はＰＣＢ板を含む。ＰＣＢ板にタッチ検出回路を有し、ＰＣＢ板の周囲に表示灯セット７が設置される。前記タッチ感応装置３は、コンピュータプログラム制御装置１を介して洗濯機のドア体を開くように制御する。表示灯セット７の色は、コンピュータプログラム制御装置が、洗濯の状態に基づいて色変換を行い、ユーザに現在ドア体を開成することができるかどうかを示し、洗濯機の稼働状態に基づいて、ドア体を開くように制御する。本発明の一実施例において、表示灯セットの色は、コンピュータプログラム制御装置１が、洗濯状態に基づいて色変換を行い、ユーザに洗濯機の動作状態を示すことをさらに含む。
【００３３】
図２に示すように、ドア開放表示装置をドア体４に設置するとき、ドア開放表示装置は、電気ケーブルによりコンピュータプログラム制御装置に接続される。ケーブルはドア体の窓のシールドと、のぞき窓との間の隙間を通りヒンジ部分に接続され、その後洗濯機の筐体に沿ってコンピュータプログラム制御装置１に接続される。表示灯セット７は、色変換可能なＬＥＤ灯１０と、ＬＥＤ灯１０を覆う導光領域６とからなり、導光領域６はタッチ領域を取り囲む透明または半透明の灯カバーである（図４を参照）。
【００３４】
タッチ感応装置３に電源を提供する電気ケーブル２は、タッチ感応装置および表示灯セットに同時に接続され、ユーザのドア開放信号をコンピュータプログラム制御装置１に送信する。コンピュータプログラム制御装置１は、洗濯機の洗濯状態に基づいて、ドア体を開くかどうか判断する。その後信号をドアロックおよび表示灯に送信し、ドアロックをロック状態に維持するか、またはロック解除し、それと同時に表示灯の色を維持または変換する。
【００３５】
本発明において、洗濯機コンピュータプログラム制御装置１がタッチ信号を受信すると、洗濯機コンピュータプログラム制御装置１は、洗濯機の洗濯状態に基づいて、現在のドア体４が開成済み、開成可能、および開成不可の少なくとも３種の状態にあることを判断し、それと同時に表示灯セット７が少なくとも３種の異なる状態に対応する異なる色を示すように制御する。例えば、コンピュータプログラム制御装置は、現在ドア体が開成可能な状態かどうかを検出し、開成可能である場合、コンピュータプログラム制御装置は信号をドアロックに送信して、ドア体をロック解除するように制御し、ドア体を開成する。それと同時に、表示灯セットがある１つの色、例えば緑色を示すように制御する。
【００３６】
本発明において、洗濯機コンピュータプログラム制御装置１は、洗濯状態の変化に基づいて、ドア体４の開閉を直接制御し、それと同時に前記表示灯セット７が異なる色を示すように制御する。ユーザがタッチ感応装置のタッチ領域を押すと、開閉感応装置がタッチ感応信号を受信し、洗濯機コンピュータプログラム制御装置１が、洗濯機の洗濯状態に基づいて、信号を洗濯機ドア体４のドアロックに送信し、ドアロックのロックおよびロック解除を制御する。それと同時に、信号を表示灯に送信し、表示灯の色を変換して、ユーザにドア体４が開成済み状態であるかどうか、または洗濯機のドア体４を開くことができるかどうかを示す。このうち、洗濯機のドア体が開成済みの場合、表示灯は１つ目の色を示す。洗濯機の洗濯が終了するか、またはユーザがドア開放ボタンをタッチすると、洗濯機はモータの回転が停止するか、またはドラム内水位が一定の周波数値より低いことを満たせば、あるいは加熱または乾燥機能を有する洗濯機については、ドラム内が一定の温度値より低い状態であれば、洗濯機のドア体４は開成可能な状態にある。
洗濯機コンピュータプログラム制御装置１が、洗濯機の洗濯状態に基づいて、現在のドア体４が開成不可の状態であると判断する方法は以下を含む。すなわち洗濯機のモータが高速回転するか、またはドラム内の水位が一定の周波数値より高いとき、あるいはドラム内の温度が一定の温度値より高い状態のとき、洗濯機のドア体４は開成することができない。
【００３７】
ユーザがタッチ感応装置のタッチ領域９を押したとしても、ドア体が依然としてロック状態にあり、開成することができないとき、表示灯は３つ目の色を示す。例えばドア体が開成済みであることを示す１つ目の色を青色、洗濯機のドア体４を開くことができることを示す２つ目の色を緑色、洗濯機のドア体４を開くことができないことを示す３つ目の色を赤色に設定することができる。当然、これらの色が示すものは任意に設定することができ、消費者の習慣を満たせばよい。当然、ドア体が開成可能、および開成済みの状態は、同一の色、例えばいずれも青色に設定することができる。
【００３８】
本発明において、表示灯セット７は洗濯機コンピュータプログラム制御装置１と直接電気的に接続され、洗濯機コンピュータプログラム制御装置１は、表示灯セット７の色変換を制御して、洗濯機の動作状態を示すこともできる。言い換えると、表示灯セット７は異なる色により洗濯工程の状態を示す。このうち、洗濯機の洗濯工程の状態は、洗濯機が給水、洗濯、すすぎ、排水、脱水、乾燥または一時停止など各種の動作状態にあることを含むがこれに限定されず、例えば給水は黄色、洗濯は黄緑色、すすぎは淡緑色、排水は黄金色、脱水は紫色、乾燥はオレンジ色、一時停止は茶色などである。本発明の表示灯セット７はいくつかのランプストリップを含むため、ランプストリップ管の強弱の変化により、洗濯機の動作状態、例えば強力洗浄、しなやか洗い、高速回転による脱水、または乾燥温度の高低などをさらに示すことができ、ユーザにさらなる利便性を提供する。
【００３９】
さらに、本発明の表示灯セット７のランプストリップを様々な色に光らせる機能について、例えば、一部のランプストリップはドア体４の色を示し、一部のランプストリップは洗濯機の動作状態を示す。このように、ユーザは洗濯機のドア体を開成すると同時に、洗濯機の動作状態を直接観察して理解することもでき、ユーザにとってさらに便利である。
【００４０】
図１は、本発明のドア開放表示装置を有するドラム式洗濯機のドア開放制御方法を示しており、前記方法は以下を含む。洗濯機の動作または停止状態において、ユーザがタッチ感応装置３のタッチ領域９をタッチすると、前記タッチ感応装置はタッチ信号を検出して、該信号を洗濯機コンピュータプログラム制御装置１に送信する。洗濯機コンピュータプログラム制御装置１は、洗濯機の動作状態に基づいて、ドア体４の開閉を直接制御し、それと同時に前記表示灯セット７が異なる色を示すように制御し、ドア体４がどの状態にあるかをユーザが直接観察するのに便利である。
【００４１】
既存技術と異なる部分は、洗濯機が使用状態のとき、ユーザはタッチ感応装置のタッチ領域９を直接タッチすることである。洗濯機のドア体の開成を制御するのに、操作パネルのスタート／一時停止ボタンを押す必要はない。
【００４２】
本発明の洗濯機コンピュータプログラム制御装置１は、洗濯機の洗濯状態に基づいて、洗濯機のドアロックに信号を送信し、ドアロックのロックおよびロック解除を制御する。それと同時に信号を表示灯に送信し、表示灯の色を変換して、ユーザに洗濯機のドア体を開くことができるかどうかを示す。さらにタッチボタンが検出したタッチ信号を利用して、ドア体の開成を制御する。
【００４３】
洗濯機コンピュータプログラム制御装置１がタッチ信号を受信すると、洗濯機コンピュータプログラム制御装置１は、洗濯機の洗濯状態に基づいて、現在のドア体が開成済み、開成可能、および開成不可の少なくとも３種の状態にあることを判断し、それと同時に表示灯セットが少なくとも３種の異なる状態に対応する異なる色を示すように制御する。例えば、コンピュータプログラム制御装置は、現在ドア体が開成可能な状態であるかどうかを検出し、開成可能である場合、コンピュータプログラム制御装置は信号をドアロックに送信して、ドア体をロック解除するように制御し、ドア体を開成する。それと同時に、表示灯セットが、ある１つの色、例えば緑色を示すように制御する。
【００４４】
洗濯機コンピュータプログラム制御装置１が、洗濯機の洗濯状態に基づいて、現在のドア体４が開成可能な状態と判断する方法は以下を含む。すなわち、
洗濯機の洗濯が終了するか、またはユーザがドア開放ボタンをタッチすると、洗濯機はモータが停止するか、もしくはドラム内水位が一定の周波数値より低いことを満たせば、または加熱もしくは乾燥機能を有する洗濯機については、ドラム内が一定の温度値より低い状態であれば、洗濯機のドア体４は開成可能な状態にある。
洗濯機コンピュータプログラム制御装置１が、洗濯機の洗濯状態に基づいて、現在のドア体４が開成不可の状態と判断する方法は以下を含む。すなわち洗濯機のモータが高速回転するか、またはドラム内水位が一定の周波数値より高いとき、あるいはドラム内温度が一定の温度値より高い状態のとき、洗濯機のドア体４は開成することができない。
【００４５】
本発明のタッチ領域９は静電容量式または抵抗膜式または光学式、例えば赤外線式である。タッチ感応装置がタッチ信号を感応すると、電気ケーブルによりドア開放指示信号をコンピュータプログラム制御装置に送信する。コンピュータプログラム制御装置が、現在のドア体が開成可能な状態にあるかどうかを検出し、開成可能である場合、コンピュータプログラム制御装置が信号をドアロックに送信して、ドア体をロック解除するように制御し、ドア体を開成する。
【００４６】
前記ドアロックは、自動ポップアップ式の電磁ドアロックである。
【００４７】
本発明において、ドア体４の開成状態を示すことについて、表示灯セット７の色変換は少なくとも３レベルに分けられ、ドア体が開成、開成可能および開成不可であることにより、それぞれ色Ａ１、Ａ２およびＡ３が設けられる。Ａ１、Ａ２およびＡ３はＲＧＢカラーであり、コンピュータプログラム制御装置の信号により、ＲＧＢカラーの変化を制御する。前記Ａ１、Ａ２およびＡ３の色差ＣＶは、いずれも２０より大きく設定する。ユーザが色の変化を識別し、洗濯機のドア体の状態を正確に判断するのに便利である。
【００４８】
タッチ領域に電気ケーブルと接続する端子台が設置され、信号を送信し、電源を提供する。
【００４９】
図４に示すように、本発明の洗濯機のドアにタッチ領域が設置され、該タッチ領域の周囲に光が誘導される。該領域をタッチすると、洗濯機のドアを開くことができる。該領域の周囲の光は、洗濯機の洗濯状態およびドアを開放することができるかどうかに基づいて、対応する色変換が行われ、ユーザがドアを開放することができるかどうかを示す。
【００５０】
該タッチ領域について、洗濯機のドアパネルにタッチパネルを裏面から取り付けることを採用し、タッチパネルに静電容量タッチボタンおよびパイロットランプと導光ストリップを設置する。タッチパネルの電源は、洗濯機コンピュータプログラム制御装置から提供され、コードで接続される。接続コードは洗濯機の操作パネルから引き出され、ドアのヒンジ部分を通って、ドアの窓のシールドと、のぞき窓のガラスとの間の隙間部分に固定され、タッチパネルと接続される。本実施例の信号表示灯はＬＥＤ灯であり、ＬＥＤ灯はＲＧＢ３色カラー表示灯である。洗濯機のドアを開くことができるとき、コンピュータプログラム制御装置がＬＥＤ灯を緑色にし、洗濯機のドアを開くことができないとき、コンピュータプログラム制御装置がＬＥＤ灯を赤色にし、ドアがすでに開かれていると、コンピュータプログラム制御装置がＬＥＤ灯を青色にする。
【００５１】
上記のように、図および実施例が示す案の内容を組み合わせて、類似の技術案に派生することができる。しかし、いずれも本発明の技術案を逸脱しない内容であり、本発明の技術の本質に基づいて、上記の実施例に対して行ういかなる簡単な修正、同等の変化および変更も、本発明の技術案の範囲内に属する。
【符号の説明】
【００５２】
１  洗濯機コンピュータプログラム制御装置
２  電気ケーブル
３  タッチ感応装置
４  洗濯機のドア体
５  ドア体の装飾枠
６  導光領域
７  表示灯セット
８  開閉感応装置
９  タッチ領域
１０  ＬＥＤ灯
１１  前面パネル
【図２】
2016529986.tif 000003
【図４】
2016529986.tif 000004
【図５】
2016529986.tif 000005
【図６】
2016529986.tif 000006
【図７】
2016529986.tif 000007
【図８】
2016529986.tif 000008
【図９】
2016529986.tif 000009
【図１】
2016529986.tif 000010
【図３】
2016529986.tif 000011
【国際調査報告】
2016529986.tif 000012
2016529986.tif 000013
2016529986.tif 000014
2016529986.tif 000015
2016529986.tif 000016
2016529986.tif 000017